(57)【要約】【課題】玉貸し機などのカード回収機能を有する装置での処理負荷や消費電力も抑える。【解決手段】本発明の遊技媒体供給用カード回収システムは、（１）挿入された遊技媒体供給用カードを内部に引き込むと共に必要に応じて外部に押し出して返却するカード引き込み部と、（２）引き込まれた遊技媒体供給用カードを一時的に保管する保管部と、（３）保管されている遊技媒体供給用カードを回収するカード回収部と、（４）各遊技媒体供給用カードの遊技媒体を供給可能な残数を管理するカード情報管理手段と、（５）保管されている遊技媒体供給用カードの残数が０であるときに、カード引き込み部に別な遊技媒体供給用カードが挿入されたことを条件として、カード回収部に回収指令を発する回収起動手段とを有することを特徴とする。【選択図】　　　図１１
2004024527.tif 000002
【特許請求の範囲】
【請求項１】
挿入された遊技媒体供給用カードを内部に引き込むと共に必要に応じて外部に押し出して返却するカード引き込み部と、
上記カード引き込み部によって引き込まれた遊技媒体供給用カードを一時的に保管する保管部と、
上記保管部で保管されている遊技媒体供給用カードを回収するカード回収部と、
各遊技媒体供給用カードの遊技媒体を供給可能な残数を管理するカード情報管理手段と、
上記保管部に保管されている遊技媒体供給用カードの残数が０であるときに、上記カード引き込み部に別な遊技媒体供給用カードが挿入されたことを条件として、上記カード回収部に回収指令を発する回収起動手段と
を有することを特徴とする遊技媒体供給用カード回収システム。
【請求項２】
流通貨幣の挿入を条件に内部収納の遊技媒体供給用カードを発行するカード発行部をさらに有し、
上記回収起動手段は、上記保管部に保管されている遊技媒体供給用カードの残数が０であるときに、上記カード発行部に流通貨幣が挿入されたことを条件として、上記カード回収部に回収指令を発する
ことを特徴とする請求項１に記載の遊技媒体供給用カード回収システム。
【請求項３】
少なくとも上記カード引き込み部、上記保管部及び上記カード回収部が、遊技機に並設されているサンド装置に設けられていることを特徴とする請求項１又は２に記載の遊技媒体供給用カード回収システム。
【請求項４】
上記遊技媒体供給用カードとして残数を更新記録し得るものを適用し、上記カード情報管理手段は、上記遊技媒体供給用カードに記録されている残数を取り出して上記回収起動手段に与えることを特徴とする請求項１〜３のいずれかに記載の遊技媒体供給用カード回収システム。
【請求項５】
上記遊技媒体供給用カードとしてカード識別番号のみが固定的に記録されているものを適用し、上記カード情報管理手段は、上記遊技媒体供給用カードに記録されているカード識別番号に対応する内部管理の残数を取り出して上記回収起動手段に与えることを特徴とする請求項１〜３のいずれかに記載の遊技媒体供給用カード回収システム。
【発明の詳細な説明】
【０００１】
【発明の属する技術分野】
本発明は遊技媒体供給用カード回収システムに関し、例えば、遊技機間に設置されているサンド装置に挿入された遊技媒体供給用カードの回収に適用し得るものである。
【０００２】
【従来の技術】
例えば、パチンコホール等の遊技施設では、遊技を行うために用いるパチンコ玉等の貸機として、流通貨幣の利用できる貸機以外に、可能利用度数（残数）に対応付けられた遊技媒体供給用カード（以下、単にカードと呼ぶ）を用いるカード式貸機がある。近年では、コスト低減等を図るために、残数が０となったカードを、再度所定の残数に対応付けて再利用できるようにすることが考えられている。
【０００３】
例えば、いわゆるサンド装置になっているカード式貸機においては、残数（の利用度数）に応じ、残数が残っている場合はカードを挿入口に返却し、残数が０になった場合は回収する。そのため、カード式貸機では、必要に応じて、カードを挿入口に返却したり回収したりする機能を備えている。
【０００４】
この例としては、例えば特開２００１−１２９２２８号公報記載の玉貸し機が知られている。
【０００５】
【発明が解決しようとする課題】
ところで、上述したカードの再利用を考慮した従来の玉貸し機では、玉貸し指令が生じて玉貸しを実行し、残数が０になると直ちにカードを回収するものであった。
【０００６】
そのため、制御部（ＣＰＵなど）は、玉貸しの制御動作とカード回収の制御動作とをほぼ同時に実行しなければならず、処理負荷が大きいものであった。
【０００７】
また、カードを回収する玉貸し機では、カードを内外で搬送するための機構に加え、カードを回収するための機構も存在し、カードを回収する機能を備えない玉貸し機より電力消費は大きいものである。
【０００８】
本発明は、以上の点に鑑みなされたものであり、玉貸し機などでの処理負荷を抑えることができると共に、消費電力もできるだけ抑えることができる遊技媒体供給用カード回収システムを提供しようとしたものである。
【０００９】
【課題を解決するための手段】
請求項１の本発明に係る遊技媒体供給用カード回収システムは、（１）挿入された遊技媒体供給用カードを内部に引き込むと共に必要に応じて外部に押し出して返却するカード引き込み部と、（２）上記カード引き込み部によって引き込まれた遊技媒体供給用カードを一時的に保管する保管部と、（３）上記保管部で保管されている遊技媒体供給用カードを回収するカード回収部と、（４）各遊技媒体供給用カードの遊技媒体を供給可能な残数を管理するカード情報管理手段と、（５）上記保管部に保管されている遊技媒体供給用カードの残数が０であるときに、上記カード引き込み部に別な遊技媒体供給用カードが挿入されたことを条件として、上記カード回収部に回収指令を発する回収起動手段とを有することを特徴とする。
【００１０】
請求項２の本発明に係る遊技媒体供給用カード回収システムは、請求項１の本発明において、流通貨幣の挿入を条件に内部収納の遊技媒体供給用カードを発行するカード発行部をさらに有し、上記回収起動手段は、上記保管部に保管されている遊技媒体供給用カードの残数が０であるときに、上記カード発行部に流通貨幣が挿入されたことを条件として、上記カード回収部に回収指令を発することを特徴とする。
【００１１】
請求項３の本発明に係る遊技媒体供給用カード回収システムは、請求項１又は２の本発明において、少なくとも上記カード引き込み部、上記保管部及び上記カード回収部が、遊技機に並設されているサンド装置に設けられていることを特徴とする。
【００１２】
請求項４の本発明に係る遊技媒体供給用カード回収システムは、請求項１〜３のいずれかの本発明において、上記遊技媒体供給用カードとして残数を更新記録し得るものを適用し、上記カード情報管理手段は、上記遊技媒体供給用カードに記録されている残数を取り出して上記回収起動手段に与えることを特徴とする。
【００１３】
請求項５の本発明に係る遊技媒体供給用カード回収システムは、請求項１〜３のいずれかの本発明において、上記遊技媒体供給用カードとしてカード識別番号のみが固定的に記録されているものを適用し、上記カード情報管理手段は、上記遊技媒体供給用カードに記録されているカード識別番号に対応する内部管理の残数を取り出して上記回収起動手段に与えることを特徴とする。
【００１４】
【発明の実施の形態】
（Ａ）実施形態
以下、本発明に係る遊技媒体供給用カード回収システムの一実施形態について、添付図面を参照しながら詳述する。なお、この実施形態は、カード回収装置をパチンコ遊技機の横に配設されている玉貸機（サンド装置）に組み込んだ場合のシステムである。
【００１５】
（Ａ−１）実施形態の構成
パチンコホールでは、パチンコ遊技機及び玉貸機は、一般に、図１に示すように配列されている。すなわち、１つの島１に多数のパチンコ遊技機２が、横一列に配設されており、玉貸機３は、各パチンコ遊技機２の間に配設されている。
【００１６】
パチンコ遊技機２及び玉貸機３は、図２に示すように、対をなしており、島ユニットコントローラ１００を介して、カード情報などを管理するカード管理端末１０１と情報授受できるものである。なお、カードを発行したりカード残数を精算したりする専用装置であるカード発行精算機１０２も、カード管理端末１０１と情報授受できるようになされている。
【００１７】
玉貸機３（３Ａ）が、現金機用サンド装置の場合には、図３の概略正面図に示すように、その前面には、流通貨幣（紙幣や硬貨など）を挿入したり返却したりするための流通貨幣挿入返却口１１０や、カードを挿入したり返却したりするためのカード挿入返却口１３や、残数などの表示を行う表示部１１２や、購入金額（残数）や貸出しに供する金額（度数）などを指令したりする操作部１１３や、発行したカードを排出するカード発行口１１４などが設けられている。
【００１８】
現金機用サンド装置である玉貸機３（３Ａ）は、機能的には、図４のブロック図に示すように、制御部本体を構成しているＣＰＵ１２０、ＲＯＭ１２１、ＲＡＭ１２２や、この制御部本体と他の機能部（遊技機２などを含む）などとのインタフェース機能を行う外部接続機１２３や、上述した表示部１１２及び操作部１１３や、カードを発行するカード発行部１２４や、カード発行の前提となって挿入された流通貨幣を収納する現金収納部１２５や、カードの挿入や返却などの処理を行うカード挿入返却部１２６や、挿入されたカードの搬送を行うカード搬送部１２７や、カードを回収して収納するカード収納部１２８などを有する。
【００１９】
カード挿入返却部１２６、カード搬送部１２７及びカード収納部１２８は、明確に切り分けられているものではなく、適宜、融合されて構成されているものである。また、現金収納部１２５には、流通貨幣の真偽を識別する構成も含まれている。
【００２０】
なお、図５には、玉貸機３（３Ｂ）が、ＣＲ機用サンド装置の場合における概略正面図を示し、図６には、玉貸機３（３Ｂ）が、ＣＲ機用サンド装置の場合における機能ブロック図を示している。これら図５及び図６から明らかなように、玉貸機３（３Ｂ）がＣＲ機用サンド装置の場合には、玉貸機３（３Ａ）が現金機用サンド装置の場合に比較すると、一部の構成要素が設けられていない。
【００２１】
玉貸機３は、図７に示すように、横幅が細く、縦長に形成されている。玉貸機３の内部には、制御盤５やカード処理装置６等が組み込まれている。制御盤５には、上述したＣＰＵ１２０、ＲＯＭ１２１、ＲＡＭ１２２、外部接続機１２３などが搭載されている。
【００２２】
カード処理装置６は、カード挿入返却部１２６やカード搬送部１２７やカード収納部１２８などが該当するものであり、挿入されたカード７の情報を読み取ったり、指令された利用度数に応じてカード７を処理したりするものである。カード処理装置６は、例えば、カード７の残数が０になっていない場合は、そのまま保管し、遊技の終了等によってカード７を外部に排出して返却すると共に、残数が０になったカード７を回収する。
【００２３】
カード７としては、記録手段を有し、残数を記録させたものであっても良く、また、記録手段を有さず、自己を識別するためのコード（例えばバーコード）だけが印刷やエンボスなどによって施されたものであっても良い。なお、後者の場合、カード管理端末１０１に、そのカードの識別コードに対応付けられて残数が管理されている。
【００２４】
以下では、後者であり、識別コードがバーコードで施されたものであるとして説明を行う。そのため、カード回収装置６は、バーコードを読み取る機能を備えている。
【００２５】
次に、カード回収装置６の機構的構成を、図８〜図１０を参照しながら説明する。なお、図８はカード回収装置６を玉貸機３に組み込んだ状態で示す一部破断斜視図、図９はカード回収装置６を示す斜視図、図１０は図９とは異なる方向からカード回収装置を示す斜視図である。
【００２６】
カード回収装置６は主に、カード引き込み部９と、保管部１０と、カード回収部１１と、駆動部１２とから構成されている。
【００２７】
カード引き込み部９は、挿入されたカード７を引き込むと共に必要に応じて外部に押し出して返却するための部位である。このカード引き込み部９は主に、カード挿入返却口１３と、搬送ベルト１４と、押えローラ１５と、カードリーダ１６と、カード検知センサ１７と、ストッパ１８とから構成されている。
【００２８】
カード挿入返却口１３は、上述したように、カード７を挿入したり、排出して返却したりするための出入り口である。カード挿入返却口１３は、カード７を出し入れし易いように広げて形成されている。
【００２９】
搬送ベルト１４は、カード挿入返却口１３から挿入されたカード７を奥の保管部１０側へ搬送すると共に、保管部１０に保管されたカード７を必要に応じてカード挿入返却口１３へ戻すためのベルトである。搬送ベルト１４は、カード７の幅よりも狭い間隔で、上下に２本配設されている。搬送ベルト１４は、カード挿入返却口１３から保管部１０まで延ばして配設されている。各搬送ベルト１４の一端は、１本の駆動軸２１に駆動プーリ（図示せず）を介して取り付けられている。各搬送ベルト１４の他端は従動プーリ（図示せず）に掛け渡されて、一定のテンションで張られている。駆動軸２１の上端には、従動歯車２２と第１プーリ２３が取り付けられている。従動歯車２２は、減速用歯車２４を介して２つの駆動ベルト２５で駆動部１２に連結されている。
【００３０】
押えローラ１５は、カード挿入返却口１３から挿入されたカード７を搬送ベルト１４側に押圧するためのローラである。各搬送ベルト１４に面する位置に２つ設けられている。カード７は押えローラ１５と搬送ベルト１４とで挟み持つように支持されて、搬送ベルト１４で搬送される。各押えローラ１５は回転軸２７に取り付けられている。回転軸２７は、その両端を本体側に回転可能に支持されている。これにより、各押えローラ１５は、各搬送ベルト１４にそれぞれ面して回転可能に支持されている。
【００３１】
カードリーダ（図８では主としてセンサ部分を示している）１６は、挿入されるカード７の情報を読み取るカード情報読み取り手段であり、カード７に施されたバーコードを読み取るためのセンサを備えている。このバーコードを読み取るセンサは、例えば、発光素子と受光素子（いずれも図示せず）を備えて構成され、光の反射の有無によってバーコードのデータを読み取るようになっている。このカードリーダ１６は、各搬送ベルト１４の間に設けられている。ここでは、２組のカードリーダ１６が並列に配設されている。各カードリーダ１６は、制御盤５の制御部に接続されている。
【００３２】
カード検知センサ１７は、カード挿入返却口１３にカード７が挿入されたことを検知するためのセンサである。このカード検知センサ１７は、発光素子と受光素子とを備えて構成されている。カード検知センサ１７は、カード挿入返却口１３の近傍に、上下に２つ並べて設けられている。２つのカード検知センサ１７の間隔は、カード７の幅よりも狭く設定されている。各カード検知センサ１７の発光素子と受光素子は、互いに対向して設けられ、検出光がカード７に直交するようになっている。これにより、カード７が挿入された場合に、検出光が遮断されてカード７の挿入を検知するようになっている。カード検知センサ１７は、制御盤５の制御部に接続されている。
【００３３】
ストッパ１８は、新しいカード７の挿入を許容したり阻止したりするための部材である。このストッパ１８は、カード挿入返却口１３に出没する阻止棒を備えた電磁ソレノイド（図示せず）によって構成されている。ストッパ１８は、制御盤５によって制御されている。これにより、カード検知センサ１７でカード７の挿入を検知したときに、保管部１０にカード７が保管されていない場合及び残数等の残っていないカードが保管されている場合は、阻止棒を引き込んでカード挿入返却口１３を開放すると共に、保管部１０にポイント等の残っているカード７が保管されている場合は、阻止棒を突出させてカード挿入返却口１３を塞ぎ、新しいカード７の挿入を阻止するようになっている。ストッパ１８の阻止棒は、通常は突出してカード挿入返却口１３を塞いだ状態になっている。
【００３４】
保管部１０は、カード引き込み部９の引き込み方向奥側に設けられ、引き込まれたカード７を一時的に保管するための部分である。保管部１０は、カード７を１枚収納できる程度の空間として形成されている。保管部１０の奥側には、返却補助手段３１が設けられている。この返却補助手段３１は、保管部１０内に一時的に保管したカード７を返却する際に、そのカード７をカード引き込み部９側へ押し戻すための部材である。返却補助手段３１は、摩擦車３２で構成されている。この摩擦車３２は、ハブ３３と、摩擦ヘラ３４とから構成されている。ハブ３３は、多数の摩擦ヘラ３４を支持するための部材である。ハブ３３は、回転軸３５に堅固に取り付けられている。摩擦ヘラ３４は、カード７に接触して、保管部１０側へ引き込んだり、カード挿入返却口１３側へ押し戻したりするための部材である。摩擦ヘラ３４は、平板の短冊状に形成されている。
【００３５】
回転軸３５の上端部には第２プーリ３７が取り付けられている。この第２プーリ３７は上下２段のプーリ部によって構成されている。この第２プーリ３７の上段プーリ部は、上記第１プーリ２３とベルト３８で連結されている。第２プーリ３７の下段プーリ部は、テンションプーリ３９を介して後述する第３プーリ４７とベルト４０で連結されている。
【００３６】
保管部１０の奥側の下部には、保管されるカード７の位置を決める、例えば、発光素子と受光素子とからなるエンドセンサ４１が設けられている。このエンドセンサ４１は、制御盤５の制御部に接続されている。これにより、エンドセンサ４１でカード７を検出した時点で、搬送ベルト１４によるカード７の搬送動作が停止されるようになっている。
【００３７】
カード回収部１１は、保管部１０で保管したカード７を適宜回収するための部材である。カード回収部１１は、カード引き込み部９の引き込み方向と交差する方向にカード７を搬送して回収する回収手段４３と、この回収手段４３で回収したカード７を保管する回収箱４４とから構成されている。
【００３８】
回収手段４３は、保管部１０の下部に設けられている。保管部１０の下部には、１枚のカード７が通過できる程度の開口が設けられている。保管部１０に保管されたカード７は、この開口を通過して回収箱４４に収納される。回収手段４３は、この保管部１０の下部の開口に望ませて設けられている。具体的には、保管部１０の下側の開口に水平方向（カード７の引き込み方向）に並べて配設された４つの摩擦車４５によって構成されている。これらは１本の駆動軸４６にそれぞれ取り付けられて、一体的に回転するようになっている。この駆動軸４６の一端部には、第３プーリ４７が取り付けられている。この第３プーリ４７は、上記第２プーリ３７の下段プーリ部と、テンションプーリ３９を介して駆動ベルト４０で連結されている。これにより、搬送ベルト１４と、返却補助手段３１と、回収手段４３とが一体的に連動して回転するようになっている。
【００３９】
各摩擦車４５は、上記返却補助手段３１の摩擦車３２と同様に構成されている。摩擦ヘラ３４は、上記保管部１０の下部の開口に望ませて設けられている。
【００４０】
回収箱４４は、回収されたカード７を保管するための部材である。回収箱４４は、保管部１０の下側に設けられ、回収手段４３で保管部１０の下部の開口から下方へ移動されたカード７を回収して保管する。回収箱４４は、前板５１と、両方の側板５２と、奥板５３と、底板５４とから構成されている。前板５１は、玉貸機３の前面を覆い、玉貸機３の前面板の一部を構成している。両側板５２の前方には大きな切り欠き５５が設けられている。この切り欠き５５は、内部に保管されたカード７を取りやすくするためのものである。回収箱４４の下側にはスライド機構５６が設けられている。このスライド機構５６は、玉貸機３の本体側に支持された状態で、回収箱４４を前後方向にスライドさせるための機構である。このスライド機構５６によって、回収箱４４を玉貸機３の前面から引き出して、回収したカード７を切り欠き５５の両側から摘んで取り出せるようになっている。
【００４１】
駆動部１２は、搬送ベルト１４等を駆動するための駆動源である。駆動部１２は駆動モータによって構成されている。この駆動部１２は、制御盤５の制御部によって制御される。
【００４２】
（Ａ−２）実施形態の動作
次に、実施形態の遊技媒体供給用カード回収システムの動作を説明する。以下では、玉貸機（サンド装置）３の動作を中心に説明する。
【００４３】
図１１は、玉貸機３（３Ａ）が現金機用サンド装置である場合における動作を示すフローチャートである。
【００４４】
玉貸機３（３Ａ）は、待機状態では、現金（流通貨幣）又はカード７が挿入されるのを待ち受けている（Ｓ１）。
【００４５】
現金（流通貨幣）が流通貨幣挿入返却口１１０に挿入されたときには、カード７に対応付ける金額の入力を求める表示を表示部１１２に行い、それに応じて、遊技者が操作部１１３を用いて入力した入力金額を取り込み（Ｓ２）、カード７を発行すると共に、その発行カード７の識別コードと入力金額（又は残高度数（残数））をカード管理端末１０１に送出して（Ｓ３）、待機状態に戻る。
【００４６】
なお、現金（流通貨幣）の挿入を、保管部１０に保持カードが存在しないことを条件に認めるようにしても良い。また、保管部１０に保持カードが存在しても現金（流通貨幣）の挿入を認めるようにしても良い。この場合、新たなカードの発行ではなく、保持カードの残数増大を挿入金額に応じて行うようにしても良い。さらに、挿入金額の方が、残数のために入力された金額より多い場合には、差額の返金動作も行われる。さらにまた、図１１に示す動作は、図３に示すように、カード挿入返却口１３とカード発行口１１４とが異なる場合の動作であるが、カード挿入返却口とカード発行口とが同一であるサンド装置の場合には、発行カードを開口から一部が見えるように排出した時点から逆方向に直ちに移動させて発行カードを直ちに内部に引き込むようにしても良い。
【００４７】
玉貸機３（３Ａ）は、待機状態において、カード挿入返却口１３にカード７が挿入されると（カード検知センサ１７による）、保管部１０にカード７が保持されているか否かを判別する（Ｓ４）。言い換えると、玉貸機３（３Ａ）の内部（保管部１０）にカード７が保持されている状態で新たなカード（７）が挿入されたのか否かを判別する。この判別は、エンドセンサ４１でカード７が検出されたか否かに基づく。
【００４８】
なお、後述する動作により、内部（保管部１０）にカード７が保持されている状態で新たなカード（７）の挿入を認める場合は、保持カード７の残数が０であって回収箱４４が満杯になっていない場合である。
【００４９】
挿入されたカード７以外に保持カード（７）が存在する場合には、保持カードの回収箱４４への回収などを行った後にステップＳ６に移行し、カード７が挿入された時点で保持カードが存在しないときには直ちにステップＳ６に移行する。
【００５０】
なお、保持カード７の回収箱４４への回収は、以下の動作によりなされる。その保持カード７は、２つの搬送ベルト１４から完全に外れてその支持をなくす。これにより、カード７は、回収手段４３の摩擦車４５に落下し、摩擦車４５の摩擦ヘラ３４で柔らかく、かつ確実に引き寄せられて下方へ移動され、そのまま回収箱４４に落下して、保管される。また、カード７の回収時には（ステップＳ５の処理では）、玉貸機３（３Ａ）は、そのカード７の識別コードと共に回収箱４４に回収したことをカード管理端末１０１に通知する。
【００５１】
保持カード７の回収箱４４への回収により、新たな挿入カード７が保管部１０に搬送され、その搬送時には、カードリーダ１６を通過して識別コードが読み取られる。この識別コードがカード管理端末１０１に与えられ、その挿入カード７に係る残数が取り出されて表示部１１２に表示され、表示された残数を上限とした中で遊技者によって操作部１１３から貸出度数が入力され、玉貸機３（３Ａ）は、その貸出度数を取り込む（Ｓ６）。
【００５２】
なお、挿入されたカード７の残数が０の場合には、直ちに返却するようにしても良く、また、直ちに後述するステップＳ８に移行するようにしても良い。
【００５３】
玉貸機３（３Ａ）は、遊技媒体供給部（図４などでは省略している）から、貸出し度数分の遊技媒体（パチンコ球）を貸し出すと共に、残数を減算処理する（Ｓ７）。残数を減算処理では、表示部１１２に表示されている残数も減算後の値にしたり、カード７の識別コードに対応付けて更新残数をカード管理端末１０１に転送して管理情報を更新させたりする。
【００５４】
その後、玉貸機３（３Ａ）は、カード７の残数が０か否かを判別する（Ｓ８）。残数が０でない場合には、ストッパ１８を作動させて阻止棒を突出させることにより、カード挿入返却口１３をカード７を挿入し得ない状態にして（Ｓ９）、貸出度数の取り込み処理（監視を含む）に戻る。
【００５５】
なお、図１１では、処理ステップの図示を省略しているが、操作部１１３における返却キー（図示せず）の操作によって、内部保持のカード７は、カード挿入返却口１３から任意のタイミングで返却できるようになされている。
【００５６】
内部に取り込んで保持したカード７の残数が０か否かの判別（Ｓ８）において、残数が０であるという結果を得ると、玉貸機３（３Ａ）は、回収箱４４がカードで満杯であるか否かを判別する（Ｓ１０）。なお、回収箱４４に満杯センサを持たせて判断するようにしても良く、また、カード管理端末１０１によって、各玉貸機３（３Ａ）毎の回収枚数を管理させ、この判断時に、その回収枚数情報を取り込んで満杯か否かを判断するようにしても良い。
【００５７】
回収箱４４がカード７で満杯であると、玉貸機３（３Ａ）は、カード挿入返却口１３から残数０のカード７を返却させる（Ｓ１１）。これに対して、回収箱４４が満杯でないと、ストッパ１８を作動させて阻止棒を退却させることにより、カード挿入返却口１３をカード７を挿入し得る状態にして（Ｓ１２）、カード７や現金の挿入を待ち受ける状態に戻る。
【００５８】
以上のような処理により、回収箱４４には、内部に保持されているカード７の残数が０であるときに、別のカード７が挿入されることを条件として、内部に保持されているカード７の回収が実行される。
【００５９】
図１２は、玉貸機３（３Ｂ）がＣＲ機用サンド装置の場合の動作フローチャートを示すものであり、現金機用サンド装置に係る図１１の同一、対応ステップには同一、対応符号を付して示している。
【００６０】
ＣＲ機用サンド装置の場合、現金（流通貨幣）挿入によるカードを発行する処理（図１１のＳ２、Ｓ３参照）が省略されており、この点を除けば、現金機用サンド装置の場合と同様な動作を行う。
【００６１】
すなわち、玉貸機３（３Ｂ）がＣＲ機用サンド装置の場合も、回収箱４４には、内部に保持されているカード７の残数が０であるときに別のカード７が挿入されることを条件として、内部に保持されているカード７の回収が実行される。
【００６２】
（Ａ−３）実施形態の効果
上記実施形態の遊技媒体供給用カード回収システムによれば、玉貸機の内部に保持されているカードの残数が０であるときに別のカードが挿入されることを条件として、内部に保持されているカードを回収するようにしたので、挿入されたカードの搬送と内部保持カードの回収とが連動され、その結果、駆動エネルギーのロスが少なく、カードの回収機能を持たせたとしても消費電力を小さく抑えることができる。
【００６３】
別のカードの挿入によって内部保持カードが回収されるので、回収時の動作は、遊技媒体の貸出し時の動作とはほぼ独立したタイミングで実行され、そのため、各種動作を制御する制御部の処理負荷を時間的に分散させることができる。
【００６４】
（Ｂ）他の実施形態
上記実施形態では、内部保持カードを、別なカードの挿入時に回収するものを示したが、新たなカード発行のための現金（流通貨幣）の挿入を検知したときにも、内部保持カードを回収するようにしても良い。
【００６５】
逆に、残数０の内部保持カードに対し、現金（流通貨幣）の挿入によって、残数を増大させる処理を起動させるようにしても良い。当然に、このときには、現金（流通貨幣）が挿入されても内部保持カードの回収は実行されない。
【００６６】
また、上記実施形態では、カードの再利用を考慮してカードを回収するものを示したが、再利用を考慮しないでカードを回収するものであっても良い。この場合において、保管部１０又はカード回収部１１に、再使用防止のための加工を施す加工手段（例えばパンチング装置）を積極的に設けるようにしても良い。
【００６７】
さらに、上記実施形態では、玉貸機でのカード回収について説明したが、カードの精算機能を有する装置（例えば、カード発行精算機１０２）でのカードの回収にも、本発明を適用することができる。すなわち、精算によって残数が０とされたカードを直ちに回収するのではなく、内部に保持しておき、別のカードの挿入時に回収するようにする。
【００６８】
また、パチンコ遊技機２の玉貸機３のカード回収だけでなく、他の遊技機の遊技媒体貸機のカード回収に本発明を適用することもできる。
【００６９】
上記実施形態では、カード引き込み部９とカード回収部１１とをベルト３８、４０で連結して連動させるようにしたが、これらカード引き込み部９とカード回収部１１とを個別に駆動させるようにしても良い。すなわち、カード引き込み部９とカード回収部１１とにそれぞれ駆動部を設け、個別に駆動させるようにしても良い。
【００７０】
また、上記実施形態では、遊技媒体供給用カード自体には残数を記録しないものであるために、カード管理端末１０１を設けているものを示したが、遊技媒体供給用カードとして磁気式などの残数が記録可能なものを適用した場合には、カード管理端末を省略することもできる。
【００７１】
【発明の効果】
以上のように、本発明によれば、保管部に保管されている遊技媒体供給用カードの残数が０であるときに、カード引き込み部に別な遊技媒体供給用カードが挿入されたことを条件として、保管部に保管されている遊技媒体供給用カードを回収させるので、玉貸し機などのカード回収機能を有する装置での処理負荷や消費電力も抑えることができる遊技媒体供給用カード回収システムを実現できる。
【図面の簡単な説明】
【図１】実施形態に係るパチンコ遊技機及び玉貸機の配列例を示す斜視図である。
【図２】実施形態の遊技媒体供給用カード回収システムの構成を示すブロック図である。
【図３】実施形態に係る玉貸機（現金機用サンド装置）の正面図である。
【図４】実施形態に係る玉貸機（現金機用サンド装置）の機能的ブロック図である。
【図５】実施形態に係る玉貸機（ＣＲ機用サンド装置）の正面図である。
【図６】実施形態に係る玉貸機（ＣＲ機用サンド装置）の機能的ブロック図である。
【図７】実施形態に係る玉貸機を示す斜視図である。
【図８】実施形態に係るカード回収装置を玉貸機に組み込んだ状態で示す一部破断斜視図である。
【図９】実施形態に係るカード回収装置を示す斜視図（その１）である。
【図１０】実施形態に係るカード回収装置を示す斜視図（その２）である。
【図１１】実施形態の玉貸機での処理を示すフローチャート（その１）である。
【図１２】実施形態の玉貸機での処理を示すフローチャート（その２）である。
【符号の説明】
２…パチンコ遊技機、３…玉貸機、５…制御盤、６…カード回収装置、７…遊技媒体供給用カード、９…カード引き込み部、１０…保管部、１１…カード回収部、１２…駆動部、１３…カード挿入返却口、１６…カードリーダ、１７…カード検知センサ、４１…エンドセンサ、４３…回収手段、４４…回収箱、１０１…カード管理端末、１０２…カード発行精算機、１１０…流通貨幣挿入返却口、１１２…表示部、１１３…操作部、１１４…カード発行口、１２０…ＣＰＵ、１２１…ＲＯＭ、１２２…ＲＡＭ、１２４…カード発行部、１２５…現金収納部、１２６…カード挿入返却部、１２７…カード搬送部、１２８…カード収納部。
【図１】
2004024527.tif 000003
【図２】
2004024527.tif 000004
【図３】
2004024527.tif 000005
【図４】
2004024527.tif 000006
【図５】
2004024527.tif 000007
【図６】
2004024527.tif 000008
【図７】
2004024527.tif 000009
【図８】
2004024527.tif 000010
【図９】
2004024527.tif 000011
【図１０】
2004024527.tif 000012
【図１１】
2004024527.tif 000013
【図１２】
2004024527.tif 000014